(57)【要約】【課題】起動後又はチャネル変更時に無音状態を生じさせないデジタル受信装置を提供する。【解決手段】デジタル放送により配信される配信情報を受信する受信手段１と、受信手段１により受信された配信情報を復号化する復号手段２と、受信手段１により受信されるデジタル放送の属性と対応づけられた挿入情報を記憶する記憶手段３と、配信情報を配信するデジタル放送の属性に基づいて、当該属性に予め対応付けられた挿入情報を選択する選択手段４と、選択手段４により選択された挿入情報を、配信情報を出力する前に出力する出力手段５とを有する。【選択図】  図１
2007049389.tif 000002
【特許請求の範囲】
【請求項１】
デジタル放送により配信される配信情報を受信する受信手段と、
前記受信手段により受信された配信情報を復号化する復号手段と、
前記受信手段により受信されるデジタル放送の属性と対応づけられた挿入情報を記憶する記憶手段と、
前記配信情報を配信するデジタル放送の属性に基づいて、当該属性に予め対応付けられた挿入情報を選択する選択手段と、
前記配信情報を出力する前に、前記選択手段により選択された挿入情報を出力する出力手段とを有するデジタル放送受信装置。
【請求項２】
デジタル放送により配信される配信情報を受信する受信手段と、
前記受信手段により受信された配信情報を復号化する復号手段と、
前記受信手段により受信される配信情報から、その配信情報を配信するデジタル放送の属性と対応づけられた挿入情報を抽出し、抽出した挿入情報を記憶する挿入情報抽出手段と、
前記受信手段により受信された配信情報を配信するデジタル放送の属性に基づいて、当該属性に予め対応付けられた挿入情報を選択する選択手段と、
前記配信情報を出力する前に、前記選択手段により選択された挿入情報を出力する出力手段とを有するデジタル放送受信装置。
【請求項３】
ユーザが指定するチャネルのデジタル放送により配信される配信情報を受信する第1受信手段と、
受信可能なデジタル放送により配信される配信情報を受信する第２受信手段と、
前記第１受信手段により受信された配信情報を復号化する第１復号手段と、
前記第２受信手段により受信された配信情報を復号化する第２復号手段と、
前記第２受信手段により受信される配信情報から、当該デジタル放送の属性と対応づけられた挿入情報を取得し、取得した挿入情報を記憶する挿入情報取得手段と、
前記出力命令において指定されたチャネルが変更された場合、当該変更後のチャネルのデジタル放送の属性に基づいて、当該属性に予め対応付けられた挿入情報を選択する選択手段と、
前記配信情報を出力する前に、前記選択手段により選択された挿入情報を出力する出力手段とを有するデジタル放送受信装置。
【請求項４】
前記出力手段は、前記デジタル放送受信装置の起動命令又はデジタル放送のチャネルの変更命令を取得し、前記選択手段により選択された挿入情報を、前記起動命令又はデジタル放送のチャネルの変更命令の取得直後に出力する請求項１〜３のいずれかに記載のデジタル放送受信装置。
【請求項５】
前記挿入情報は、前記受信手段により受信された、前記デジタル放送の放送局の識別情報、前記デジタル放送のチャネル識別情報、前記デジタル放送の放送局のジングル、前記デジタル放送の番組情報、前記デジタル放送の放送局の広告情報、または前記デジタル放送の放送局が提供するイベント情報その他のデジタル放送の案内情報である請求項１〜４のいずれかに記載のデジタル放送受信装置。
【請求項６】
前記番組情報は、番組のタイトル、番組の出演者、放送される楽曲名、番組の特集、又は番組のトピックスその他の番組に関する情報を含む請求項５に記載の放送受信装置。
【請求項７】
前記挿入情報は出力有効期限を含み、
前記出力手段は、前記選択手段により選択された挿入情報に含まれる出力有効期限と出力命令を取得した際の時刻とを比較し、前記時刻が前記出力有効期限内である場合は、前記選択手段により選択された挿入情報を、前記配信情報を出力する前に出力する請求項１〜６のいずれかに記載のデジタル放送受信装置。
【発明の詳細な説明】
【技術分野】
【０００１】
本発明は、デジタル放送受信装置に関し、特に、起動後や受信チャネル切り替え後の所定時間に、出力が予定されるデジタル放送の案内情報を出力するデジタル放送受信装置に関する。
【背景技術】
【０００２】
この種の装置に関し、受信チャネル切り替え時に放送内容が一時提示されないことに伴う視聴者の違和感を緩和するため、映像信号に比べ復号の早い音声またはＥＰＧ（Electrical Program Guide:放送番組表）で取得した番組情報を先に表示するデジタルテレビジョン放送受信機が知られている。
【０００３】
しかしながら、取得した音声や放送番組表などのデジタル音声放送（デジタルラジオ放送）の復号化処理においても時間がかかるため、起動時や切り替え時の無音区間を無くすことができないという問題があった。特に、高速な復号化処理速度が望めない車載オーディオや、ポータブルオーディオではこの現象が顕著となるという不都合があった。また、従来の車載オーディオではアナログ放送システムが一般的であったため、これに慣れているユーザは起動後（エンジン始動後）又はチャネル切り替え後にすぐに音が出ないと、それが短い時間あっても違和感を持つという不都合があった。
【特許文献１】特開２００１−３３９６６３号公報
【発明の開示】
【０００４】
本発明は、以上の課題を鑑みてなされたものであり、起動後や受信チャネル切り替え後に無音状態を生じさせないデジタル放送受信装置を提供することを目的とする。
【０００５】
本発明は、デジタル放送により配信される配信情報を受信する受信手段と、受信手段により受信された配信情報を復号化する復号手段と、受信手段により受信されるデジタル放送の属性と対応づけられた挿入情報を記憶する記憶手段と、配信情報を配信するデジタル放送の属性に基づいて、当該属性に予め対応付けられた挿入情報を選択する選択手段と、配信情報を出力する前に、選択手段により選択された挿入情報を出力する出力手段とを有するデジタル放送受信装置を提供する。
【０００６】
本発明によれば、デジタル放送受信装置の起動後や受信チャネル切り替え後の所定時間に予め準備した挿入情報を出力するため、デジタル放送受信装置の起動後や受信チャネル切り替え後に生じてしまう無音状態を無くすことができ、起動時等にユーザに違和感を与えないデジタル放送受信装置を提供することができる。
【発明を実施するための最良の形態】
【０００７】
＜第１実施形態＞
以下、図面に基づいて、本発明に係る実施形態のデジタル放送受信装置１００を説明する。本実施形態のデジタル放送受信装置１００は、主にオーディオ装置を起動した際における無音状態を解消する。つまり、本実施形態のデジタル放送受信装置１００は、デジタル放送の受信を開始した際に無音状態を発生させることなく、デジタル放送を受信し出力することができる。
【０００８】
図１に本実施形態のデジタル放送受信装置１００のブロック構成を示した。図１に示すように、本実施形態のデジタル放送受信装置１００は、受信手段１と、復号手段２と、記憶手段３と、選択手段４と、出力手段５とを有し、具体的には、起動命令（出力開始命令）に呼応して配信情報を配信するデジタル放送の属性に応じた挿入情報を選択し、選択された挿入情報を配信情報よりも前に出力させるプログラムを格納したＲＯＭ(Read Only Memory)等と、このＲＯＭ等に格納されたプログラムを実行することで、選択手段４、出力手段５として機能するＣＰＵ（Central Processing Unit）等と、アクセス可能な記憶手段３として機能するＲＡＭ(Random Access Memory)等（メモリ５０）とを備えている。また、デジタル放送受信装置１００は、図外のオーディオ装置の入力装置２００から起動命令（出力開始命令）、チャネル指定命令、又はチャネル変更命令を受け付ける。
【０００９】
以下、各構成について説明する。  
「受信手段１」は、アンテナ１１と、チューナー部１２を有し、デジタル放送により配信される配信情報を受信する。アンテナ１１は各デジタル放送局が配信する配信情報を受信する。チューナー部１２は、アンテナ１１に到達した各種放送信号の中から、所定の受信対象となる周波数成分のみを抽出し、抽出した周波数成分に対応する配信情報を復号手段２へ向けて出力する。
【００１０】
「復号手段２」は、チューナー部１２により抽出された配信情報（デジタルル放送信号）を所定のデジタル復調処理を行う。復号手段２は本処理を行う際に、チューナー部１２が抽出した配信情報から音声信号（及び／または映像信号）と挿入情報とを分離し、復号処理がされた挿入情報を記憶手段３の挿入情報格納領域３１に格納するとともに、復号処理がされた音声信号等の配信信号を出力手段５へ向けて出力する。
【００１１】
「記憶手段３」は、復号手段２により復号された挿入情報を、予め、読み込み可能なように格納する。特に限定されないが、記憶手段３は、半導体メモリのように、比較的小容量であっても起動の早い記憶媒体であることが好ましい。
【００１２】
本実施形態の「挿入情報」は、受信手段１により受信されるデジタル放送の放送局の識別情報、デジタル放送のチャネル識別情報、デジタル放送の放送局のジングル（Jingle：短いコマーシャルソング）、デジタル放送のコンテンツの番組情報、デジタル放送の放送局の広告情報、またはデジタル放送の放送局が提供するイベント情報その他の案内情報であることが好ましい。また、上掲の番組情報は、具体的には、番組のタイトル、番組の出演者、放送される楽曲名、番組の特集、又は番組のトピックスその他の番組に関する情報を含む情報であることが好ましい。特に限定されないが、挿入情報には出力有効期限を含ませることが好ましい。この出力有効期限は、番組情報等が適切に用いられる期間又は終期を示す情報である。出力有効期限は後述する出力手段５の挿入情報制御部５２により、挿入情報の出力の可否判断のために参照される。
【００１３】
また、本実施形態の挿入情報は、受信手段により受信されるデジタル放送の属性と対応付けられて記憶手段３に記憶される。挿入情報と対応づけられる「デジタル放送の属性」は、特に限定されないが、デジタル放送を配信する放送局、デジタル放送を配信するチャネル、デジタル放送の提供者などの放送を識別する情報である。
【００１４】
「選択手段４」は、配信情報を配信するデジタル放送の属性に基づいて、このデジタル放送の属性に予め対応付けられた挿入情報を選択する。選択手段４は、デジタル放送の属性を、受信手段１を介して取得してもよいし、ユーザが入力する入力装置２００を介して取得してもよい。たとえば、特定の放送局ＩＤ（属性）と放送局のジングル（Jingle：短いコマーシャルソング：挿入情報）とが対応づけられている場合、選択手段４は、放送局ＩＤ（属性）で特定された放送局のジングル（挿入情報）を選択し、選択したジングルを出力手段５に向けて出力する。
【００１５】
「出力手段５」は、出力制御部５１と出力部５２とを有し、選択手段４により選択された挿入情報を、配信情報を出力する前に出力する。特に限定されないが、出力制御部５１は、デジタル放送受信装置１００の起動命令又はデジタル放送のチャネルの変更命令を取得した場合、選択手段４により選択された挿入情報を、起動命令又はデジタル放送のチャネルの変更命令の取得直後に出力することが好ましい。
【００１６】
具体的に、本実施形態の出力制御部５１は、配信情報出力制御部５１１と、挿入情報出力制御部５１２と、切替部５１３とを有している。配信情報出力制御部５１１は、デコード部２１により復号された配信情報を所定のタイミングで出力する。挿入情報出力制御部５１２は、選択手段４により選択された挿入情報を所定のタイミングで出力する。切替部５３は、配信情報の出力と挿入情報の出力とを切替え、配信情報の出力タイミングと挿入情報の出力タイミングを制御する。具体的に、切替部５１３は、配信情報を出力する前に挿入情報を出力し、挿入情報を出力してから配信情報を出力させる。特に限定されないが、切替部５１３（出力手段５）は、デジタル放送受信装置１００の起動命令取得直後に挿入情報を出力させ、挿入情報の出力完了後に配信情報を出力させることが好ましい。また、切替部５１３（出力手段５）は、デジタル放送受信装置１００の起動命令取得直後に挿入情報を出力させ、挿入情報出力開始から所定時間経過後に配信情報を出力させてもよい。
【００１７】
本実施形態では、デジタル放送の配信情報の前に挿入情報を出力し、又はデジタル放送受信装置１００の起動直後に挿入情報を出力させてから（その後に）配信情報を出力するため、デジタル放送に必須のデコード処理（復号処理）により生じる起動時の無音時間をなくすことができ、デジタル放送特有の（ＦＭ、ＡＭ等のアナログ放送では発生しない）無音時間をユーザに感知させないようにすることができる。
【００１８】
また、本実施形態の挿入情報出力制御部５１２は、選択手段４により選択された挿入情報に含まれる出力有効期限と出力命令を取得した際の時刻とを比較し、その時刻が出力有効期限内である場合は、選択手段４により選択された挿入情報を、配信情報を出力する前に出力する。
【００１９】
出力部５２は、デジタル放送対応のスピーカおよび／またはディスプレイであり、出力制御部５１の制御に従い情報を出力する。
【００２０】
次に本実施形態の制御処理手順を図２に基づいて説明する。図２は、本実施形態のデジタル放送受信装置１００の起動時の制御手順を示すフローチャート図である。
【００２１】
まず、起動命令が入力され、デジタル放送受信装置１００が起動すると、受信手段１は、起動命令において指定されたチャネルのデジタル放送信号を抽出し、デジタル放送による配信情報の受信を開始する（２０１）。配信情報の受信と並行して、選択手段４は、受信中のデジタル放送の属性を取得し、この属性に対応する挿入情報が、記憶手段３に記憶されているか否かを判断する（Ｓ２０２）。記憶手段３に受信中のデジタル放送の属性に対応づけられた挿入情報が記憶されている場合、選択手段４はその挿入情報を選択し、出力手段５の挿入情報出力制御部５１２へ送出する。切替部５３は、この挿入情報を起動命令取得直後から出力させる（Ｓ２０３）。ここで出力される挿入情報は、デジタル放送の放送局特有のジングル（短いコマーシャルソング）などの受信中の放送局、放送内容を想起させる情報である。挿入情報が記憶されていない場合は、配信情報の復号化（デコード処理）を開始する（Ｓ２０８）。
【００２２】
挿入情報の出力と並行して、復号手段２は受信手段１により受信された配信情報を復号化し、復号化した配信情報を出力手段５の配信情報出力制御部５１１へ送出する（Ｓ２０４）。切替部５１３は、挿入情報の出力が完了したか否かを判断し（Ｓ２０５）、完了してから配信情報の出力を開始させ（Ｓ２０６）、起動時の処理を終了する（Ｓ２０７）。
【００２３】
本実施形態のデジタル放送受信装置１００によれば、デジタル放送の受信に必須の復号化処理によって生じる起動後の無音時間をなくすことができるため、ユーザに違和感を与えないようにすることができる。特に、起動後の無音時間はアナログ放送に慣れたユーザにとっては、デジタル放送受信開始直後の無音時間には違和感を覚える。本実施形態のデジタル放送受信装置１００は、デジタル放送を受信しながらも、このような起動時の無音時間を発生させず、ユーザに違和感を与えないようにすることができる。
【００２４】
また、本実施形態のデジタル放送受信装置１００によれば、起動後にデジタル放送の属性に基づいて、当該属性に予め対応付けられた挿入情報を選択して出力するため、ユーザは現在どのような（どの放送局の）デジタル放送を視聴しているかを挿入情報から知ることができる。たとえば、ある放送局Ａ（属性）の特有のジングルが起動後に出力されることにより、ユーザは放送局Ａが選択され、放送局Ａの放送が現在出力されていることを知ることができる。つまり、ユーザは放送局等の放送の属性を挿入情報（ジングル等）から知ることができ、挿入情報が音声である場合には、オーディオの表示パネル等を見たり、オーディオのダイアルを見て確認する必要がない。
【００２５】
＜第２実施形態＞
第２実施形態のデジタル放送受信装置１２０は、挿入情報取得手段６を備える点で第１実施形態と相違するが、基本的な構成及び作用は共通する。ここでは重複する説明を避け、異なる点を中心に説明する。
【００２６】
本実施形態のデジタル放送受信装置１２０のブロック構成を図３に示した。図３に示すように、本実施形態のデジタル放送受信装置１２０は挿入情報抽出手段６を有する。他の構成については図１に示す第１実施形態の構成と共通する。
【００２７】
本実施形態の挿入情報取得手段６は、受信手段１により受信される配信情報から、その配信情報を配信するデジタル放送の属性と対応づけられた挿入情報を抽出し、抽出した挿入情報を記憶手段３に記憶する。挿入情報には挿入情報である旨が識別可能なように識別子が付されており、挿入情報取得手段６は、配信情報の中から挿入情報を抽出することができる。つまり、本実施形態のデジタル放送受信装置１２０は、挿入情報を予め記憶手段３に記憶させておくのではなく、受信するデジタル放送の配信情報の中から取得して記憶手段３に格納する。
【００２８】
本実施形態のデジタル放送受信装置の挿入情報及び配信情報の出力処理は、図２に示した制御手順に順ずる。ここでは挿入情報を取得し、記憶手段３に格納するまでの、第１実施形態とは異なる情報取得に関する処理を、図４のフローチャートに基づいて説明する。  
図４に示すフローは、デジタル放送受信装置１２０の受信チャネルが変わる毎、すなわち、チューナー部１２が抽出する受信対象となる周波数信号が変更される毎に開始される。
【００２９】
本例では、ユーザがチャネル変更命令を入力し、受信するチャネルが変更されたときの処理である。チューナー部１２は、受信中のデジタル放送のチャネルを、指定されたチャネルに変更し、変更後のチャネルで受信した配信情報をデコード部２１へ出力する。デコード部２１は、取得した特定周波数の配信情報に所定の複合化処理（MPEG-2 Audio AAC）を行う。この処理が行われる際、復号手段２のデコード部２１は、配信情報に含まれる挿入情報についても複合化処理を行う。
【００３０】
挿入情報抽出手段６は、配信情報の中から挿入情報を抽出し、その取得を開始する（Ｓ３０１）。本例における挿入情報は、第１実施形態における挿入情報と共通する。挿入情報の取得が完了したら（Ｓ３０２）、取得した挿入情報を記憶手段３の挿入情報の格納領域３１に格納する。取得完了前後にデジタル放送受信装置１１０を含むオーディオ装置の電源がオフにされたら、その処理を終了する（Ｓ３０４，Ｓ３０６）。オーディオ装置（ＡＣＣ）がOFFされずに、所定時間経過したら（Ｓ３０５）、再び、挿入情報の取得処理を開始する（Ｓ３０５からＳ３０１へ）。
【００３１】
本実施形態のデジタル放送受信装置１１０によれば、デジタル放送の受信に必須の復号化処理によって生じる起動後の無音時間をなくすことができるため、ユーザに違和感を与えないようにすることができる。特に、起動後の無音時間はアナログ放送に慣れたユーザにとっては、デジタル放送受信開始直後の無音時間には違和感を覚える。本実施形態のデジタル放送受信装置１００は、デジタル放送を受信しながらも、このような起動時の無音時間を発生させず、ユーザに違和感を与えないようにすることができる。
【００３２】
また、本実施形態のデジタル放送受信装置１１０によれば、起動後にデジタル放送の属性に基づいて、当該属性に予め対応付けられた挿入情報を選択して出力するため、ユーザは現在どのようなデジタル放送を視聴しているかを挿入情報から知ることができる。たとえば、ある放送局Ａ（属性）の特有のジングルが起動後に出力されることにより、ユーザは放送局Ａが選択され、放送局Ａの放送が現在出力されていることを知ることができる。つまり、ユーザは放送局等の放送の属性を挿入情報（ジングル等）から知ることができ、挿入情報が音声情報である場合には、オーディオの表示パネル等を見たり、オーディオのダイアルを見て確認する必要がない。
【００３３】
＜第３実施形態＞  
第３実施形態のデジタル放送受信装置１２０は、特に、チャネル変更時において発生する無音時間の解消を目的とし、受信手段１が配信情報を受信するための機能（第１受信手段）と挿入情報を受信するための機能（第２受信手段）と、第２受信手段により受信された配信情報から挿入情報を取得する挿入情報取得手段７とを有する点で第１実施形態と相違するが、基本的な構成及び作用は第１実施形態と共通する。ここでは重複する説明を避け、異なる点を中心に説明する。
【００３４】
本実施形態のデジタル放送受信装置１２０のブロック構成を図５に示した。図５に示すように、本実施形態のデジタル放送受信装置１２０は、第１アンテナ１１と、第１チューナー部１２と、第２アンテナ１３と、第２チューナー部１４と、第１デコード部２１と、第２デコート部２２と、挿入情報取得手段７とを有する。
【００３５】
第１アンテナと第１チューナー部１２（第１受信手段）は、ユーザが入力した出力命令において指定されたチャネルのデジタル放送により配信される配信情報を受信する。第１チューナー部１２は、第１アンテナ１１に到達した各種放送信号の中から、ユーザが指定した所定の周波数成分のみを抽出することで、受信対象となる周波数信号のみを抽出し、抽出したデジタル放送（たとえばデジタルラジオ放送）信号を出力する。
【００３６】
第２アンテナ１３と、第２チューナー部１４（第２受信手段）は、受信可能なデジタル放送により配信される配信情報を受信する。第２チューナー部１４は、ユーザの意思とは関係なく、チャネル変更時に出力する番組情報を得るために使用するチューナーで、起動後は、自動的に受信可能なチャネルをサーチし、取得可能なチャネルの放送信号を第２デコード部２２へ出力する。
【００３７】
第１デコード部２１（第１復号手段）は、第１チューナー部１２により受信された配信情報を復号化する。第１デコード部２１は、第1のチューナー部１２が抽出したデジタル放送信号に所定のデジタル復調処理（MPEG-2 Audio AAC復調）を行い、出力手段５に向けて配信情報を出力する。
【００３８】
第２デコード部２２（第２復号手段）は、第２チューナー部１４により受信された挿入情報を復号化する。第２のデコード部２２は、第２のチューナー部１４が抽出した放送信号に所定の複合化処理を行うことで、チャネル変更時に出力する番組情報等の挿入情報を取得し、取得したチャネル番号と対応づけて記憶手段３へ格納する。また、第２のデコード部２２は、番組情報等を取得したチャネル番号を選択手段４にも送出する。選択手段４はこのチャネル番号を記憶する。チャネル変更時に出力する挿入情報は、第１実施形態の挿入情報と同様に、受信手段により受信された、デジタル放送の放送局の識別情報、デジタル放送のチャネル識別情報、デジタル放送の放送局のジングル、デジタル放送のコンテンツの番組情報、デジタル放送の放送局の広告情報、またはデジタル放送の放送局が提供するイベント情報その他の案内情報であるが、好ましくは、番組のタイトル、番組の出演者、放送される楽曲名、番組の特集、又は番組のトピックスその他の番組に関する情報を含む番組情報を挿入情報とすることが好ましい。また、第１実施形態と同様に、挿入情報に出力有効期限を含ませてもよい。
【００３９】
挿入情報取得手段７は、第２チューナー部１４（第２受信手段）により受信され、第２デコード部２２により復号化処理がなされた配信情報の中から挿入情報を取得する。挿入情報には挿入情報である旨が識別可能なように識別子が付されており、配信情報から挿入情報を取得することができる。挿入情報取得手段７は、取得した挿入情報を記憶手段３に記憶する。
【００４０】
選択手段４は、出力命令において指定されたチャネルが変更された場合、その変更後のチャネルのデジタル放送の属性に基づいて、その属性に予め対応付けられた挿入情報を選択する。選択手段４は、第1のチューナー部       １２が抽出する配信情報のチャネル変更を検出すると、挿入情報の選択処理を行う。選択手段４は、ユーザが予め登録された受信放送局を選択するプリセットボタンにより受信チャネルを変えた場合、ユーザが押したプリセットボタンのチャネルに関する挿入情報を選択する。また、選択手段４は、ユーザがチャネルサーチ（シーク）によって受信チャネルを変えた場合、シーク開始時に次の受信可能なチャネルに関する挿入情報を選択する。
【００４１】
出力手段５の切替部５１３は、チャネル変更をトリガとして、チャネル変更直後に選択手段４により選択された挿入情報を出力させ、その後復調された配信情報を出力させる。
【００４２】
切替部５１３の制御に従い、挿入情報出力制御部５１２は、挿入情報取得手段７により取得された挿入情報をチャネル変更直後に出力させる。さらに、切替部５１３の制御に従い、配信情報出力制御部５１１は、第１デコード部２１により復調された配信情報を出力させる。配信情報出力制御部５１１は、ユーザが予め登録された受信放送局を選択するプリセットボタンにより受信チャネルを変えた場合、ユーザが押したプリセットボタンのチャネルに関する配信情報の出力を指示する。また、配信情報出力制御部５１１は、ユーザがチャネルサーチ（シーク）によって受信チャネルを変えた場合、シーク開始時に次の受信可能なチャネルに関する配信情報の出力を指示する。
【００４３】
次に図６及び図７に基づいて第３実施形態のデジタル放送受信装置１２０の制御手順を説明する。
【００４４】
図６に示したフローは、ユーザにより第1チューナー部１２が受信するチャネル番号が変更された際に開始される（Ｓ８００）。ユーザにより、第1チューナー部１２が抽出する特定周波数の配信情報が変更されると、選択手段４は、変更後の放送のチャネルに対応する挿入情報がすでに取得され、記憶手段３（挿入情報格納領域３１）に登録されているか否かを検索する（Ｓ８０１）。例えば、ユーザがプリセットボタンを使って受信チャネルを変更した場合には、押されたプリセットボタンに登録されているチャネルに対応する挿入情報を検索し、挿入情報として登録されているか否かを判断する。ユーザがチャネルサーチ（シーク）によってチャネル変更を行った場合には、次に受信可能となるチャネルに対応する挿入情報を検索し、挿入情報として登録されているか否かを判断する。変更後の放送のチャネルに対応する挿入情報が登録されている場合にはＳ８０２へ進み、挿入情報が登録されていない場合には、第１デコード部２１により変更後のチャネルにより配信された配信情報のデコードを開始する（Ｓ８０８）。
【００４５】
選択手段４は、変更後のチャネルに対応づけられた挿入情報が記憶手段３に登録されていれば、その挿入情報を選択し、出力手段５に向けて出力し、挿入情報出力制御部５１２は、選択された挿入情報の出力命令を準備する（Ｓ８０２）。切替部５１３は、選択された挿入情報をチャネル変更直後に出力させるよう出力タイミングを制御する（Ｓ８０３）。
【００４６】
第１デコード部２１は、Ｓ８０３の処理後またはＳ８０１〜Ｓ８０３の処理と並行して、配信情報のデコード処理（MPEG-2 Audio AAC復調処理）を開始する（Ｓ８０４）。
【００４７】
切替部５１３は、先に出力させた挿入情報の出力が終了したか否かを判断する（Ｓ８０５）。切替部５１３は、挿入情報の出力が完了したら、配信情報の出力を開始し、出力する情報を切り替える。特に限定されないが、配信情報のうち復調処理にかかる時間が短い音声情報を先に出力するようにしてもよい。挿入情報の出力が完了する時点では、第１デコード部２１による配信情報のデコード処理も進行しているため、挿入情報の次に配信情報を出力させることによりチャネル変更後に無音時間を生じさせないようにすることができる。
【００４８】
図７は、挿入情報の取得処理を示すフローチャート図である。図７の処理は、デジタル放送受信装置１２０が起動されてから電源がOFFされるまで続けられる。
【００４９】
まず、ラジオ受信機が起動されると（Ｓ９００）、第２チューナー部１４は、受信可能なチャネルのサーチを開始し、受信可能なチャネルを検出したら、取得可能なチャネルから配信情報を受信し、第２デコード部２２へ出力する。第２デコード部２２は、第２チューナー１４が受信した配信放送に所定の複合処理を行う。挿入情報取得手段７は、復号化処理された配信情報の中から、挿入情報に付された挿入情報の識別子に基づいて、番組情報などの挿入情報を取得する（Ｓ９０１）。挿入情報の取得が完了したら（Ｓ９０２）、挿入情報取得手段７は、第２デコード部２２により取得された挿入情報とその挿入情報を取得したチャネル番号（デジタル放送の属性）とを対応づけて記憶手段３に格納する（Ｓ９０３，９０４）。またチャネル番号は出力手段５にも送出される。
【００５０】
受信可能な全チャネルの挿入情報（番組情報を含む）を取得するまでＳ９０１〜９０４の処理が行われる（Ｓ９０５，Ｓ９０６）。挿入情報の取得の順番は、チャネル番号順にサーチしてもよいし、プリセットされているチャネルについて優先して処理を行ってもよい。プリセットされているチャネルについて優先処理することにより、ユーザの利用頻度及び変更頻度が高いチャネル（デジタル放送）についての挿入情報を早い段階で準備しておくことが可能となる。
【００５１】
その後、所定時間が経過したら、再び、受信可能なチャネルのサーチと挿入情報の取得を開始する（Ｓ９０７）。ここでは、時間のみ考慮して、再サーチを開始したが、ラジオ番組は時刻により番組が決められているため、所定時刻になったら再サーチを開始するようにしてもよい。また、デジタル放送受信装置が車両に搭載されている場合には、車両の位置によって取得できるチャネルが変わることがあるため、位置情報、走行時間および／または走行距離によって、再サーチを開始するタイミングを定義してもよい。
【００５２】
上述した図６及び図７のフローを組み合わせることにより、デジタル放送特有の受信チャネル変更時に行われるデコード処理によって生じる無音時間中に、受信する放送の属性に応じた番組情報等の挿入情報を出力することができる。
【００５３】
本実施形態のデジタル放送受信装置１００によれば、デジタル放送の受信に必須の復号化処理によって生じるチャネル変更時の無音時間をなくすことができるため、ユーザに違和感を与えないようにすることができる。特に、チャネル変更時の無音時間はアナログ放送に慣れたユーザにとっては、デジタル放送のチャネル変更時の無音時間には違和感を覚える。本実施形態のデジタル放送受信装置１００は、デジタル放送を受信しながらも、このようなチャネル変更時の無音時間を発生させず、ユーザに違和感を与えないようにすることができる。
【００５４】
また、本実施形態のデジタル放送受信装置１２０によれば、チャネル変更時にデジタル放送の属性に基づいて、当該属性に予め対応付けられた挿入情報を選択して出力するため、ユーザは現在どのようなチャネルのデジタル放送を選択しようとしているかを挿入情報から知ることができる。たとえば、ある放送局Ａを選択してある番組の配信情報を受信したときにその番組ＩＤ（属性）の番組タイトルや、パーソナリティ等の出演者の名前、楽曲名、特集内容等の番組情報が出力されることにより、ユーザは選択した包装番組を知ることができる。つまり、ユーザはチャネル変更により選択した放送局または放送番組の属性を挿入情報（番組情報）から知ることができ、挿入情報が音声情報である場合には、オーディオの表示パネル等を見たり、オーディオのダイアルや時計等を見て確認する必要がない。
【００５５】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００５６】
【図１】第１実施形態のデジタル放送受信装置のブロック構成図を示す図である。
【図２】第１実施形態に係るデジタル放送受信装置の制御手順を示す図である。
【図３】第２実施形態のデジタル放送受信装置のブロック構成図を示す図である。
【図４】第２実施形態に係るデジタル放送受信装置の制御手順を示す図である。
【図５】第３実施形態のデジタル放送受信装置のブロック構成図を示す図である。
【図６】第３実施形態に係るデジタル放送受信装置の制御手順を示す図である。
【図７】第３実施形態に係るデジタル放送受信装置の挿入情報の取得に係る制御手順を示す図である。
【符号の説明】
【００５７】
１００…デジタル放送受信装置
２００…入力装置
１…受信手段
１１…アンテナ，第１アンテナ
１２…チューナー部，第１チューナー部
１４…第２チューナー部
２…復号手段
２１…デコード部，第１デコード部
２２…第２デコード部
３…記憶手段
４…選択手段
４１…入力命令受付部
５…出力手段
５１…出力制御部
５１１…配信情報出力制御部
５１２…挿入情報出力制御部
５１３…切替部
５２…出力部
６…挿入情報抽出手段
７…挿入情報取得手段
【図１】
2007049389.tif 000003
【図２】
2007049389.tif 000004
【図４】
2007049389.tif 000005
【図６】
2007049389.tif 000006
【図７】
2007049389.tif 000007
【図３】
2007049389.tif 000008
【図５】
2007049389.tif 000009